【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
ビーズ材料が封入された内側コアと外側シェルとの動的応答組合せを備える機能的支持クッションであって、
（ａ）前記内側コアは、前記ビーズ材料を包み込むことができる所定の形状に形作られた第１の布材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、
（ｃ）前記ビーズ材料は、前記クッションに付加される一定圧力が存在しないときに自由に流動することができる高分子発泡体の複数の丸形状微粒子から構成されており、
前記内側コアは、前記内側コアと前記外側シェルとの組合せが前記クッションに付加された圧力に対して動的応答をもたらし、前記クッションの機能的支持を高めるように、前記外側シェルの内側に配置されている、機能的支持クッション。
【請求項２】
前記クッションは、７０−８０％の体適合度を達成するようになっている、請求項１に記載の機能的支持クッション。
【請求項３】
前記機能的支持クッションは、繰り返される圧力の付加に対して高耐久性を有している、請求項１に記載の機能的支持クッション。
【請求項４】
前記ビーズ材料の微粒子は、ＥＰＳ  Ｓｔｙｒｏｆｏａｍビーズである、請求項１に記載の機能的支持クッション。
【請求項５】
前記第１の布地材料は、非丸編み布地である、請求項１に記載の機能的支持クッション。
【請求項６】
前記第１の布地材料は、トリコット布地である、請求項５に記載の機能的支持クッション。
【請求項７】
前記第１の布地材料は、９２％ポリエステル糸と８％Ｌｙｃｒａスパンデックス糸との糸混合比を含んでいる、請求項６に記載の機能的支持クッション。
【請求項８】
前記第１の布地材料は、機能化されるように処理されている、請求項１に記載の機能的支持クッション。
【請求項９】
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項８に記載の機能的支持クッション。
【請求項１０】
前記第２の布地材料は、丸編み布地である、請求項１に記載の機能的支持クッション。
【請求項１１】
前記第２の布地材料は、８８．５％コットン糸と１１．５％スパンデックス糸との糸混合比を含んでいる、請求項１に記載の機能的支持クッション。
【請求項１２】
ビーズ材料が封入された内側コアと外側シェルとの動的応答組合せを備える耐環境性（ＥＲ）機能的支持クッションであって、
（ａ）前記内側コアは、前記ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されており、
前記内側コアは、前記内側コアと前記外側シェルとの組合せが前記クッションに付加された圧力に対して動的応答をもたらし、前記クッションの機能的支持を高めるように、前記外側シェルの内側に配置されている、耐環境性（ＥＲ）機能的支持クッション。
【請求項１３】
前記第２の布地材料は、ポリウレタンフィルムまたは熱可塑性ポリウレタンフィルムによって積層されている、請求項１２に記載の機能的支持クッション。
【請求項１４】
積層されたフィルムの厚みは、１−１．５ミルである、請求項１２に記載の機能的支持クッション。
【請求項１５】
前記クッションは、６０−７０％の体適合度を達成するようになっている、請求項１２に記載の機能的支持クッション。
【請求項１６】
前記ビーズ材料の微粒子は、ＥＰＳ  Ｓｔｙｒｏｆｏａｍビーズである、請求項１２に記載の機能的支持クッション。
【請求項１７】
前記第１の布地材料は、機能化されるように処理されている、請求項１２に記載の機能的支持クッション。
【請求項１８】
ビーズ材料が封入された２つ以上の内側コアと外側シェルとの動的応答組合せを備える多コア（ＭＣ）機能的支持クッションであって、
（ａ）前記内側コアは、各々、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアの全てを含むように形作られた第２の布地によって画定されており、前記第２の布地は、伸縮性および耐久性を有するように設計された１つまたは複数の繊維を含んでおり、
（ｃ）前記ビーズ材料は、前記クッションに付加される一定圧力が存在しないときに自由に流動することができる高分子発泡体の複数の丸形状微粒子を含んでおり、
前記内側コアは、前記内側コアと前記外側シェルとの組合せが前記クッションに付加された圧力に対して動的応答をもたらし、前記クッションの機能的支持を高めるように、前記外側シェルの内側に配置されている、多コア（ＭＣ）機能的支持クッション。
【請求項１９】
前記クッションは、７０−８０％の体適合度を達成するようになっている、請求項１８に記載の機能的支持クッション。
【請求項２０】
前記ビーズ材料の微粒子は、ＥＰＳ  Ｓｔｙｒｏｆｏａｍビーズである、請求項１８に記載の機能的支持クッション。
【請求項２１】
前記第１の布材料は、非丸編み布地である、請求項１８に記載の機能的支持クッション。
【請求項２２】
前記第１の布材料は、トリコット布地である、請求項２１に記載の機能的支持クッション。
【請求項２３】
前記第１の布地材料は、９２％ポリエステル糸と８％Ｌｙｃｒａスパンデックス糸との糸混合比を含んでいる、請求項２２に記載の機能的支持クッション。
【請求項２４】
前記第１の布地材料は、機能化されるように処理されている、請求項１８に記載の機能的支持クッション。
【請求項２５】
前記第２の布地材料は、丸編み布地である、請求項１８に記載の機能的支持クッション。
【請求項２６】
前記第２の布地材料は、８８．５％コットン糸と１１．５％スパンデックス糸との糸混合比を含んでいる、請求項１８に記載の機能的支持クッション。
【請求項２７】
前記第２の布地材料は、積層されている、請求項１８に記載の機能的支持クッション。
【請求項２８】
前記積層された第２の布地材料は、機能化されるように処理されている、請求項１８に記載の機能的支持クッション。
【手続補正２】
【補正対象書類名】明細書
【補正対象項目名】０２４１
【補正方法】変更
【補正の内容】
【０２４１】
［等価物］
当業者であれば、本明細書に記載されている特定の手順に対する多数の等価物を認識し、またはわずかな通常の実験を用いて確認することができるだろう。このような等価物は、本発明の範囲内にあると見なされ、以下の請求項に包含されることになる。さらに、本明細書に提示されているどのような数値的な範囲またはアルファベットによる範囲も、それらの範囲の上下値の両方を含むことが意図されている。加えて、少なくとも一実施形態における任意のリスト作成またはグループ分けは、独立したそれぞれの実施形態のリスト作成を簡略的または簡便的に代表していることが意図されている。従って、リストの各部材は、別の実施形態の部材でもあると見なされるべきである。
なお、出願当初の特許請求の範囲は、以下のとおりである。
〔請求項１〕
ビーズ材料が封入された内側コアと外側シェルとの動的応答組合せを備える機能的支持クッションであって、
（ａ）前記内側コアは、前記ビーズ材料を包み込むことができる所定の形状に形作られた第１の布材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、
（ｃ）前記ビーズ材料は、前記クッションに付加される一定圧力が存在しないときに自由に流動することができる高分子発泡体の複数の丸形状微粒子から構成されており、
前記内側コアは、前記内側コアと前記外側シェルとの組合せが前記クッションに付加された圧力に対して動的応答をもたらし、前記クッションの機能的支持を高めるように、前記外側シェルの内側に配置されている、機能的支持クッション。
〔請求項２〕
前記クッションは、７０−８０％の体適合度を達成するようになっている、請求項１に記載の機能的支持クッション。
〔請求項３〕
前記機能的支持クッションは、繰り返される圧力の付加に対して高耐久性を有している、請求項１または２に記載の機能的支持クッション。
〔請求項４〕
前記付加圧力は、人の一定体重である、請求項１−３のいずれか１つに記載の機能的支持クッション。
〔請求項５〕
前記ビーズ材料の微粒子は、ＥＰＳ  Ｓｔｙｒｏｆｏａｍビーズである、請求項１−４のいずれか１つに記載の機能的支持クッション。
〔請求項６〕
前記ビーズ材料の微粒子は、０．５ｍｍから５ｍｍの範囲内の直径を有している、請求項１−５のいずれか１つに記載の機能的支持クッション。
〔請求項７〕
前記第１の布地材料は、非丸編み布地である、請求項１−６のいずれか１つに記載の機能的支持クッション。
〔請求項８〕
前記第１の布地材料は、トリコット布地である、請求項７に記載の機能的支持クッション。
〔請求項９〕
前記第１の布地材料は、９２％ポリエステル糸と８％Ｌｙｃｒａスパンデックス糸との糸混合比を含んでいる、請求項８に記載の機能的支持クッション。
〔請求項１０〕
前記内側コアは、縫込みによって所定形状に形作られている、請求項１−９のいずれか１つに記載の機能的支持クッション。
〔請求項１１〕
前記内側コアは、ジッパーを備えている、請求項１−１０のいずれか１つに記載の機能的支持クッション。
〔請求項１２〕
前記ビーズ材料は、前記内側コアの最大容積の８０％超を満たしている、請求項１−１１のいずれか１つに記載の機能的支持クッション。
〔請求項１３〕
前記ビーズ材料は、前記内側コアの最大容積の９０％超を満たしている、請求項１−１２のいずれか１つに記載の機能的支持クッション。
〔請求項１４〕
前記第１の布地材料は、機能化されるように処理されている、請求項１−１３のいずれか１つに記載の機能的支持クッション。
〔請求項１５〕
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項１４に記載の機能的支持クッション。
〔請求項１６〕
前記第１の布地材料は、難燃剤によって機能化されるように処理されている、請求項１５に記載の機能的支持クッション。
〔請求項１７〕
前記難燃剤は、Ｐｙｒｏｖａｔｅｘ  ＳＶＣ（登録商標）である、請求項１６に記載の機能的支持クッション。
〔請求項１８〕
前記ビーズ材料が封入された前記内側コアの寸法は、７８×１５０×６０ｃｍである、請求項１−１７のいずれか１つに記載の機能的支持クッション。
〔請求項１９〕
前記ビーズ材料が封入された前記内側コアの寸法は、７８×１７０×６０ｃｍである、請求項１−１８のいずれか１つに記載の機能的支持クッション。
〔請求項２０〕
前記第２の布地材料は、丸編み布地である、請求項１−１９のいずれか１つに記載の機能的支持クッション。
〔請求項２１〕
前記第２の布地材料は、８８．５％コットン糸と１１．５％スパンデックス糸との糸混合比を含んでいる、請求項１−２０のいずれか１つに記載の機能的支持クッション。
〔請求項２２〕
ビーズ材料が封入された内側コアと外側シェルとの動的応答組合せを備える耐環境性（ＥＲ）機能的支持クッションであって、
（ａ）前記内側コアは、前記ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されており、
前記内側コアは、前記内側コアと前記外側シェルとの組合せが前記クッションに付加された圧力に対して動的応答をもたらし、前記クッションの機能的支持を高めるように、前記外側シェルの内側に配置されている、耐環境性（ＥＲ）機能的支持クッション。
〔請求項２３〕
前記第２の布地材料は、ポリウレタンフィルムまたは熱可塑性ポリウレタンフィルムによって積層されている、請求項２２に記載の機能的支持クッション。
〔請求項２４〕
積層されたフィルムの厚みは、１−１．５ミルである、請求項２２または２３に記載の機能的支持クッション。
〔請求項２５〕
前記クッションは、６０−７０％の体適合度を達成するようになっている、請求項２２−２４のいずれか１つに記載の機能的支持クッション。
〔請求項２６〕
前記機能的支持クッションは、繰り返される圧力の付加に対して高耐久性を有している、請求項２２−２５のいずれか１つに記載の機能的支持クッション。
〔請求項２７〕
前記付加圧力は、人の一定体重である、請求項２２−２６のいずれか１つに記載の機能的支持クッション。
〔請求項２８〕
前記ビーズ材料の微粒子は、ＥＰＳ  Ｓｔｙｒｏｆｏａｍビーズである、請求項２２−２７のいずれか１つに記載の機能的支持クッション。
〔請求項２９〕
前記ビーズ材料の微粒子は、０．５ｍｍから５ｍｍの範囲内の直径を有している、請求項２２−２８のいずれか１つに記載の機能的支持クッション。
〔請求項３０〕
前記第１の布地材料は、非丸編み布地である、請求項２２−２９のいずれか１つに記載の機能的支持クッション。
〔請求項３１〕
前記第１の布地材料は、トリコット布地である、請求項３０に記載の機能的支持クッション。
〔請求項３２〕
前記第１の布地材料は、９２％ポリエステル糸と８％Ｌｙｃｒａスパンデックス糸との糸混合比を含んでいる、請求項３１に記載の機能的支持クッション。
〔請求項３３〕
前記内側コアは、縫込みによって所定形状に形作られている、請求項２２−３２のいずれか１つに記載の機能的支持クッション。
〔請求項３４〕
前記内側コアは、ジッパーを備えている、請求項２２−３３のいずれか１つに記載の機能的支持クッション。
〔請求項３５〕
前記ビーズ材料は、前記内側コアの最大容積の８０％超を満たしている、請求項２２−３４のいずれか１つに記載の機能的支持クッション。
〔請求項３６〕
前記ビーズ材料は、前記内側コアの最大容積の９０％超を満たしている、請求項２２−３５のいずれか１つに記載の機能的支持クッション。
〔請求項３７〕
前記第１の布地材料は、機能化されるように処理されている、請求項２２−３６のいずれか１つに記載の機能的支持クッション。
〔請求項３８〕
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項３７に記載の機能的支持クッション。
〔請求項３９〕
前記第１の布地材料は、難燃剤によって、機能化されるように処理されている、請求項３８に記載の機能的支持クッション。
〔請求項４０〕
前記難燃剤は、Ｐｙｒｏｖａｔｅｘ  ＳＶＣ（登録商標）である、請求項３９に記載の機能的支持クッション。
〔請求項４１〕
前記ビーズ材料が封入された前記内側コアの寸法は、７８×１５０×６０ｃｍである、請求項２２−４０のいずれか１つに記載の機能的支持クッション。
〔請求項４２〕
前記ビーズ材料が封入された前記内側コアの寸法は、７８×１７０×６０ｃｍである、請求項２２−４０のいずれか１つに記載の機能的支持クッション。
〔請求項４３〕
前記第２の布地材料は、トリコット布地である、請求項２２−４２のいずれか１つに記載の機能的支持クッション。
〔請求項４４〕
前記第２の布地材料は、９２％ポリエステル糸と８％Ｌｙｃｒａスパンデックス糸との糸混合比を含んでいる、請求項２２−４３のいずれか１つに記載の機能的支持クッション。
〔請求項４５〕
前記積層された第２の布地材料は、機能化されるように処理されている、請求項２２−４４のいずれか１つに記載の機能的支持クッション。
〔請求項４６〕
前記積層された第２の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項４５に記載の機能的支持クッション。
〔請求項４７〕
前記積層された第２の布地材料は、難燃剤によって機能化されるように処理されている、請求項４６に記載の機能的支持クッション。
〔請求項４８〕
前記難燃剤は、Ｐｙｒｏｖａｔｅｘ  ＳＶＣ（登録商標）である、請求項４７に記載の機能的支持クッション。
〔請求項４９〕
ビーズ材料が封入された２つ以上の内側コアと外側シェルとの動的応答組合せを備える多コア（ＭＣ）機能的支持クッションであって、
（ａ）前記内側コアは、各々、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアの全てを含むように形作られた第２の布地によって画定されており、前記第２の布地は、伸縮性および耐久性を有するように設計された１つまたは複数の繊維を含んでおり、
（ｃ）前記ビーズ材料は、前記クッションに付加される一定圧力が存在しないときに自由に流動することができる高分子発泡体の複数の丸形状微粒子を含んでおり、
前記内側コアは、前記内側コアと前記外側シェルとの組合せが前記クッションに付加された圧力に対して動的応答をもたらし、前記クッションの機能的支持を高めるように、前記外側シェルの内側に配置されている、多コア（ＭＣ）機能的支持クッション。
〔請求項５０〕
前記クッションは、７０−８０％の体適合度を達成するようになっている、請求項４９に記載の機能的支持クッション。
〔請求項５１〕
前記機能的支持クッションは、繰り返される圧力の付加に対して高耐久性を有している、請求項４９または５０に記載の機能的支持クッション。
〔請求項５２〕
前記付加圧力は、人の一定体重である、請求項４９−５１のいずれか１つに記載の機能的支持クッション。
〔請求項５３〕
前記ビーズ材料の微粒子は、ＥＰＳ  Ｓｔｙｒｏｆｏａｍビーズである、請求項４９−５２のいずれか１つに記載の機能的支持クッション。
〔請求項５４〕
前記ビーズ材料の微粒子は、０．５ｍｍから５ｍｍの範囲内の直径を有している、請求項４９−５３のいずれか１つに記載の機能的支持クッション。
〔請求項５５〕
前記第１の布材料は、非丸編み布地である、請求項４９−５４のいずれか１つに記載の機能的支持クッション。
〔請求項５６〕
前記第１の布材料は、トリコット布地である、請求項５５に記載の機能的支持クッション。
〔請求項５７〕
前記第１の布地材料は、９２％ポリエステル糸と８％Ｌｙｃｒａスパンデックス糸との糸混合比を含んでいる、請求項５６に記載の機能的支持クッション。
〔請求項５８〕
前記内側コアは、縫込みによって所定形状に形作られている、請求項４９−５７のいずれか１つに記載の機能的支持クッション。
〔請求項５９〕
前記内側コアは、ジッパーを備えている、請求項４９−５８のいずれか１つに記載の機能的支持クッション。
〔請求項６０〕
前記ビーズ材料は、前記内側コアの最大容積の８０％超を満たしている、請求項４９−５９のいずれか１つに記載の機能的支持クッション。
〔請求項６１〕
前記ビーズ材料は、前記内側コアの最大容積の９０％超を満たしている、請求項４９−６０のいずれか１つに記載の機能的支持クッション。
〔請求項６２〕
前記第１の布地材料は、機能化されるように処理されている、請求項４９−６１のいずれか１つに記載の機能的支持クッション。
〔請求項６３〕
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項６２に記載の機能的支持クッション。
〔請求項６４〕
前記第１の布地材料は、難燃剤によって機能化されるように処理されている、請求項６３に記載の機能的支持クッション。
〔請求項６５〕
前記難燃剤は、Ｐｙｒｏｖａｔｅｘ  ＳＶＣ（登録商標）である、請求項６４に記載の機能的支持クッション。
〔請求項６６〕
前記ビーズ材料が封入された前記内側コアの寸法は、１４０×１７５×５０ｃｍである、請求項４９−６４のいずれか１つに記載の機能的支持クッション。
〔請求項６７〕
前記第２の布地材料は、丸編み布地である、請求項４９−６６のいずれか１つに記載の機能的支持クッション。
〔請求項６８〕
前記第２の布地材料は、８８．５％コットン糸と１１．５％スパンデックス糸との糸混合比を含んでいる、請求項４９−６７のいずれか１つに記載の機能的支持クッション。
〔請求項６９〕
前記第２の布地材料は、積層されている、請求項４９−６７のいずれか１つに記載の機能的支持クッション。
〔請求項７０〕
前記第２の布地材料は、ポリウレタンフィルムまたは熱可塑性ポリウレタンフィルムによって積層されている、請求項６９に記載の機能的支持クッション。
〔請求項７１〕
積層されたフィルムの厚みは、１−１．５ミルである、請求項６９または７０に記載の機能的支持クッション。
〔請求項７２〕
前記積層された第２の布地材料は、機能化されるように処理されている、請求項６９−７１のいずれか１つに記載の機能的支持クッション。
〔請求項７３〕
前記積層された第２の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項７２に記載の機能的支持クッション。
〔請求項７４〕
前記積層された第２の布地材料は、難燃剤によって機能化されるように処理されている、請求項７３に記載の機能的支持クッション。
〔請求項７５〕
前記難燃剤は、Ｐｙｒｏｖａｔｅｘ  ＳＶＣ（登録商標）である、請求項７４に記載の機能的支持クッション。
〔請求項７６〕
請求項１−２１に記載の機能的支持クッションを作製する方法であって、
ビーズ材料が封入された内側コアと外側シェルとの動的応答組合せを選択するステップであって、
（ａ）前記内側コアは、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、
（ｃ）前記ビーズ材料は、前記クッションに付加される一定圧力が存在しないときに自由に流動することができる高分子発泡体の複数の丸形状微粒子から構成されている、
ステップと、
前記内側コア、前記ビーズ材料、および前記外側シェルを得るステップと、
前記ビーズ材料を前記内側コアの内側に封入するステップと、
前記内側コアを前記外側シェルの内側に配置するステップと、
を含み、
前記内側コアと前記外側シェルとの組合せが前記クッションに付加された圧力に対して動的応答をもたらし、前記クッションの機能的支持を高めるように、機能的支持クッションが作製されるようになっている、方法。
〔請求項７７〕
請求項２２−４８に記載の機能的支持クッションを作製する方法であって、
ビーズ材料が封入された内側コアと外側シェルとの動的応答組合せを選択するステップであって、
（ａ）前記内側コアは、前記ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されている、
ステップと、
前記内側コア、前記ビーズ材料、および前記外側シェルを得るステップと、  
前記ビーズ材料を前記内側コアの内側に封入するステップと、
前記内側コアを前記外側シェルの内側に配置するステップと、
を含み、
前記内側コアと前記外側シェルとの組合せが前記クッションに付加された圧力に対して動的応答をもたらし、前記クッションの機能的支持を高めるように、機能的支持クッションが作製されるようになっている、方法。
〔請求項７８〕
請求項４９−７５に記載の機能的支持クッションを作製する方法であって、
ビーズ材料が封入された２つ以上の内側コアと外側シェルとの動的応答組合せを選択するステップであって、
（ａ）前記内側コアは、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されている、
ステップと、
前記内側コア、前記ビーズ材料、および前記外側シェルを得るステップと、
前記ビーズ材料を前記内側コアの内側に封入するステップと、
前記内側コアを前記外側シェルの内側に配置するステップと、
を含み、
前記内側コアと前記外側シェルとの組合せが前記クッションに付加された圧力に対して動的応答をもたらし、前記クッションの機能的支持を高めるように、機能的支持クッションが作製されるようになっている、方法。
〔請求項７９〕
前記内側コアを得る前記ステップは、前記内側コアを作製することを含んでいる、請求項７６−７８のいずれか１つに記載の方法。
〔請求項８０〕
前記ビーズ材料を得る前記ステップは、前記ビーズ材料を作製することを含んでいる、請求項７６―７９のいずれか１つに記載の方法。
〔請求項８１〕
前記外側シェルを得る前記ステップは、前記外側シェルを作製することを含んでいる、請求項７６―８０のいずれか１つに記載の方法。